(57)【要約】【課題】  耐圧、断熱構造で建設される専用の環境試験室を必要とすることなくエンジン試験を行うことができる自走車用エンジンの環境試験装置を提供する。【解決手段】  供試体たるエンジン１を収容できる温度、湿度の調整機３を設けてなる密閉可能な収容器１と、前記エンジン１における空気の吸気口１ａに接続する温度、湿度の調整機６、７を設けてなる吸気系と、前記エンジン１における燃焼ガスの排気口１ｂに接続する排気系と、前記吸気系および排気系の気圧調整とともに、前記エンジン１における燃焼ガスを排気するブロワ１７とで構成することにより、耐圧、断熱構造で建設される専用の環境試験室を必要とすることなくエンジン試験を行うことができる構成とした。【選択図】  図１
2008096111.tif 000002
【特許請求の範囲】
【請求項１】
供試体たるエンジンを収容できる温度、湿度の各調整手段を設けてなる密閉可能な収容部材と、前記エンジンの空気吸気口に接続する温度、湿度の各調整手段を設けてなる吸気系と、前記エンジンの燃焼ガス排気口に接続する排気系と、前記吸気系および排気系の気圧を調整する気圧調整手段とで構成してなる自走車用エンジンの環境試験装置であって、前記収容部材内に設置した前記エンジンに対し、前記吸気系の各調整手段および前記気圧調整手段によって調整した空気を直接供給するとともに、エンジンより排出された排気ガスを、前記気圧調整手段によって前記吸気系と同じ気圧に調整した前記排気系を介して大気中に排出するように構成してなる自走車用エンジンの環境試験装置。
【請求項２】
前記吸気系における温度、湿度の調整手段を複数設けて構成してなる請求項１に記載の自走車用エンジンの環境試験装置。
【請求項３】
前記吸気系に、エンジン方向に空気を送る送風機を設けて構成してなる請求項１に記載の自走車用エンジンの環境試験装置。
【請求項４】
前記吸気系におけるエンジン吸気口の前段に、吸入用空気を一時貯留できる吸気貯留タンクを設けて構成してなる請求項１に記載の自走車用エンジンの環境試験装置。
【請求項５】
前記排気系におけるエンジン排気口の後段に、排気ガスを一時貯留できる排気貯留タンクを設けて構成してなる請求項１に記載の自走車用エンジンの環境試験装置。
【請求項６】
前記吸気系と排気系を、調整バルブを介し接続してなる請求項１に記載の自走車用エンジンの環境試験装置。
【発明の詳細な説明】
【技術分野】
【０００１】
本発明は、自走車用エンジンの環境試験装置に関し、より詳しくは、環境試験室といった大なる空間を有する専用の試験室（建屋）を必要とすることなくエンジン試験を行うことができる自走車用エンジンの環境試験装置に関する。
【背景技術】
【０００２】
従来、環境試験装置によって行われる自走車用エンジンのエンジン試験は、供試体たるエンジンを単体もしくは車輌に搭載した状態で環境試験室内に設置するとともに、この環境試験室内を、温度、湿度、気圧の各調整手段によって所望の環境に調整し、さらにこの環境試験室内に検査者が立ち入ってエンジン試験が行われる（例えば、特許文献１参照）。
【０００３】
しかしながら、環境試験室は、この室内に車輌を持ち込んでエンジン試験を行えるように大なる空間を有しているので、エンジン試験の開始に際し、環境試験室内の温度、湿度、気圧が所定の環境値に調整されるまでに長時間を要することから、エンジン試験が開始できるまでの待ち時間が非常に長かった。
【０００４】
また上述のように、環境試験室内が所定の環境値に調整されるまでに長時間を要することで、省エネルギー化の推進が奨励される今日においては、省エネルギー化に逆行する施設となっていた。
【０００５】
そして、環境試験室（建屋）は、高地相当気圧すなわち環境試験室内を減圧状態にして行うエンジン試験の場合において、環境試験室（建屋）が外気圧に耐えられるよう耐圧構造にしているとともに、夏場に行う寒冷地相当気温すなわち環境試験室内を低温状態にして行うエンジン試験や、冬場に行う熱帯地相当気温すなわち環境試験室内を高温状態にして行うエンジン試験の場合において、環境試験室内の気温が外気温の影響を受けないよう断熱構造にもなっているので、環境試験室の建設に掛かる建設費用が高額であった。
【０００６】
さらには、環境試験室内でエンジン試験を行う検査作業者においても、被試験エンジンとともに、空気を薄くした高地相当気圧（減圧）、気温を低くした寒冷地相当気温（低温度）、気温を高くした熱帯地相当気温（高温度）などに調整した室内でエンジン試験を行わなければならないので、環境試験室内を出入りする検査作業者の安全対策を講じる必要があった。
【０００７】
【特許文献１】登録実用新案第３０１４２５２号公報（第１〜９頁、図１〜４）
【発明の開示】
【発明が解決しようとする課題】
【０００８】
本発明は、環境試験室といった大なる空間を有する専用の試験室（建屋）を必要とすることなくエンジン試験を行うことができるようにして、上述する環境試験室でのエンジン試験に起因する問題点を払拭した自走車用エンジンの環境試験装置を提供できるようにした。
【課題を解決するための手段】
【０００９】
上述した課題を解決するために、本発明に係る自走車用エンジンの環境試験装置は、供試体たるエンジンを収容できる温度、湿度の各調整手段を設けてなる密閉可能な収容部材と、前記エンジンの空気吸気口に接続する温度、湿度の各調整手段を設けてなる吸気系と、前記エンジンの燃焼ガス排気口に接続する排気系と、前記吸気系および排気系の気圧を調整する気圧調整手段とで構成してなる自走車用エンジンの環境試験装置であって、前記収容部材内に設置した前記エンジンに対し、前記吸気系の各調整手段および前記気圧調整手段によって調整した空気を直接供給するとともに、エンジンより排出された排気ガスを、前記気圧調整手段によって前記吸気系と同じ気圧に調整した前記排気系を介して大気中に排出するように構成したものとしてある。
【００１０】
また前記吸気系において、温度、湿度の調整手段を複数設けたり、さらにはエンジン方向に空気を送る送風機を設けて構成したものとしてある。
【００１１】
さらに前記吸気系におけるエンジン吸気口の前段に、吸入用空気を一時貯留できる吸気貯留タンクを設けたり、また、前記排気系におけるエンジン排気口の後段に、排気ガスを一時貯留できる排気貯留タンクを設け、さらに前記吸気系と排気系を、調整バルブを介し接続した構成のものとしてある。
【発明の効果】
【００１２】
本発明の自走車用エンジンの環境試験装置によれば、供試体たるエンジンへ、温度、湿度、気圧を調整した空気を直接供給し、またエンジンから排出される排気ガスにおいても、排気ガスの排出部をエンジンへ供給する空気と同じ気圧に調整し、さらに供試体たるエンジンにおいても、エンジン単体が収容できるスペースがある収容部材に収容してその内部の空気温度を調整しているので、従来のように、被試験エンジンに対し所定の環境を再現するための大なる空間を有する専用の環境試験室（建屋）を必要とすることなくエンジン試験を行うことができる。
【００１３】
そして、耐圧構造および断熱構造で建設される環境試験室を必要としないことから、設備の小型化が可能になり、また、エンジンの環境試験設備を一般の建屋内に設置することもできるため、経済面における低コスト化ができる。そして、エンジンの環境試験設備の移設も容易に行うことができる。
【００１４】
さらには、所定の環境を再現するための専用の環境試験室（建屋）を必要としないことから、検査作業者は、終始一定（普通）の空調下で検査作業を行えるため検査作業者の安全が確保できる。
【００１５】
そして、エンジンへ供給する空気における温度、湿度、気圧の各調整を、吸気系内の通過中に調整してエンジンの空気吸入口に直接供給しているので、エンジン試験の開始における待ち時間は、吸気系を起動してからこの吸気系の入口に入った空気がエンジンの空気吸入口に到達するまでの僅かな時間だけであり、したがってエンジン試験の開始における待ち時間は無いに等しく、エンジン試験における作業効率が大となる。
【００１６】
また、吸気系、排気系、収容部材の各内空気に対応する温度、湿度、気圧の各調整においても、吸気系および排気系では、エンジン試験に必要となる空気流通量に対して調整すればよく、また収容部材では、内部に設置された被試験エンジン周囲の空気に対して調整すればよいので、調整する空気量が小となり、したがって省エネルギー化を達成することができる。
【発明を実施するための最良の形態】
【００１７】
以下、本発明の自走車用エンジンの環境試験装置を添付図面に示す具体例に基づいて説明する。
図１は、本発明に係る自走車用エンジンの環境試験装置の一例を示す構成図であり、その構成においては、試験室２６内の断熱材２ａに囲まれた収容器２に収容された供試体たるエンジン１の吸気口１ａに吸気系における一端を接続し、またエンジン１の排気口１ｂに排気系における一端を接続している。
【００１８】
前述の収容器２の内部は、調整機３における冷却部３ａを循環する冷媒、加熱部３ｂのヒータによってこの容器内における空気の温度、湿度を、被試験エンジン１の試験環境に適するように調整しており、この調整した空気は、送風部３ｃのブロワによって送気管４、排気管５を通り収容器２内部、調整機３を循環している。
【００１９】
そして、エンジン１の吸気口１ａに一端を接続している吸気系は、第一調整機６の吸気口６ａから空気を取り入れて、さらに送風部６ｂのプロワによって強制的にエンジン１の吸気口１ａへ送風（供給）している。
【００２０】
その吸気口６ａから取り入れられた空気は、送風部６ｂのブロワによって吸気系内を通過していく途中で、第一調整機６における冷却部６ｃを循環する冷媒、加熱部６ｄのヒータによって所定条件の温度、湿度の空気に調整され第二調整機７に入る。
【００２１】
第二調整機７に入った空気は、この第二調整機７における冷却部７ａを循環する冷媒、加熱部７ｂのヒータ、さらに加湿部７ｃにおいて加湿機８で発生させた水蒸気を噴霧することによって被試験エンジン１を試験する環境条件に合った空気に調整される。そしてこの空気は、吸気管９を通り空気を一時貯留させるためのタンク１２に入る。
また空気調整は、吸気管９に配設する温度センサ１０、湿度センサ１１で行っている。
【００２２】
そして、空気はこのタンク１２からジョイント管１４を介してエンジン１の吸気口１ａからエンジン１内に入る。
このように、エンジン１に対しタンク１２に一時貯留した空気を吸入させることでエンジン１内に入る空気量を一定にし、エンジン１運転時の脈動を防止するようにしている。
【００２３】
また、エンジン１の排気口１ｂに一端を接続している排気系は、エンジン１から排出された排気（排気ガス）がブロワ１７の排出口１７ａから試験室２６外部の大気中に排出している。さらにこのブロワ１７は、エンジン１から排出された排気（排気ガス）の排出とともに、吸気系と排気系の気圧を同じ気圧に調整する調整手段も兼ねる。
【００２４】
そのエンジン１から排出された排気（排気ガス）は、ジョイント管２１を介してタンク１９に一時貯留され、続いて排気管２２、ブロワ１７を通過して排出口１７ａから排出されている。
そして、エンジン１から排出された排気（排気ガス）をタンク１９に一時貯留させることで、ブロワ１７による排気（排気ガス）の吸引で生じるエンジン１内における気圧変化を防止するようにしている。
【００２５】
また、吸気系側にあるタンク１２と排気系側にある排気管２２を、調整バルブ２５を介して調整管２４で接続していて、この調整管２４を配設することで、ブロワ１７が排気（排気ガス）を吸引する際、エンジン１が吸気する空気をタンク１２から吸引させ、吸気系と排気系の気圧を同じ気圧に調整している。
【００２６】
気圧の調整は、吸気系側におけるタンク１２の圧力センサ１３、排気系側におけるタンク１９の圧力センサ２０の各センサによって吸気系側の吸気管９と排気系側の排気管２２の管内気圧を計測し、その計測データを基にして調整管２４の調整バルブ２５と排気管２２の調整バルブ２３の開度とともに、インバータ１８によるブロワ１７の回転数制御によって行っている。
【００２７】
また、図２、図３は、エンジン供給用空気調整部の構成例を示す図である。
図２の場合は、図１における第一調整機６の送風部６ｂと温湿度調整を行う冷却部６ｃ、加熱部６ｄを分割し、また冷凍機１５と冷却部６ｃを循環する冷媒の冷媒循環管１６を、第二調整機７の冷却部７ａを経由する形態にしたものである。
【００２８】
図３の場合は、図２における第一調整機２７の冷却部２７ａに対し、専用の冷凍機２９と冷媒の冷媒循環管３０を設けたものである。
【００２９】
図２中の符号、２７ｂは第一調整機２７の加熱部、２８はエンジン１の吸気口１ａへ空気を送風するブロワ、２８ａは空気の吸気口である。
【図面の簡単な説明】
【００３０】
【図１】本発明に係る自走車用エンジンの環境試験装置の一例を示す構成図。
【図２】エンジン供給用空気調整部の構成例を示す図。
【図３】エンジン供給用空気調整部の構成例を示す図。
【符号の説明】
【００３１】
１  エンジン
１ａ  吸気口
１ｂ  排気口
２  収容器
２ａ  断熱材
３  調整機
３ａ  冷却部
３ｂ  加熱部
３ｃ  送風部
４  送気管
５  排気管
６  第一調整機
６ａ  吸気口
６ｂ  送風部
６ｃ  冷却部
６ｄ  加熱部
７  第二調整機
７ａ  冷却部
７ｂ  加熱部
７ｃ  加湿部
８  加湿機
９  吸気管
１０  温度センサ
１１  湿度センサ
１２  タンク
１３  圧力センサ
１４  ジョイント管
１５  冷凍機
１６  冷媒循環管
１７  ブロワ
１７ａ  排出口
１８  インバータ
１９  タンク
２０  圧力センサ
２１  ジョイント管
２２  排気管
２３  調整バルブ
２４  調整管
２５  調整バルブ
２６  試験室
２６ａ  外壁
２７  第一調整調
２７ａ  冷却部
２７ｂ  加熱部
２８  ブロワ
２８ａ  吸気口
２９  冷凍機
３０  冷媒循環管
【図１】
2008096111.tif 000003
【図２】
2008096111.tif 000004
【図３】
2008096111.tif 000005